(57)【要約】【課題】  フィルムが表裏逆に挿入され読み取られ、サムネイル表示する場合、適正な色調で画像を読み取ることができ、また、フィルムの画像読み取り処理の操作性が優れている画像読取装置および画像読取装置の制御方法を提供する。【解決手段】  複数の撮影コマによって構成されているフィルムから、画像情報を読み取り、上記読み取った画像情報を、記録装置に記録させ、ユーザの指示によってフィルムを読み取る際に、上記画像読取と上記記録装置制御とを行い、読み取る画像の画像情報を得るためにプレビューし、上記プレビュー読み取りで得られたプレビュー画像に基づいて、サムネイルを表示し、上記プレビュー読み取りで得られたプレビュー画像に基づいて、上記プレビュー画像に最適な処理を行い、最適な読み取りモードで画像を読み取るように制御する。【選択図】  図１
2006311081.tif 000002
【特許請求の範囲】
【請求項１】
複数の撮影コマによって構成されているフィルムから、画像情報を読み取る画像読取手段と；
上記画像読取手段が読み取った画像情報を、記録装置に記録させる記録装置制御手段と；
ユーザの指示によってフィルムを読み取る際に、上記画像読取手段と上記記録装置制御手段とを動作させ、読み取る画像の画像情報を得るためにプレビューし、上記プレビュー読み取りで得られたプレビュー画像に基づいて、サムネイルを表示するサムネイル表示手段と；
上記プレビュー読み取りで得られたプレビュー画像に基づいて、上記プレビュー画像に最適な処理を行い、最適な読み取りモードで画像を読み取るように制御する制御手段と；
を具備することを特徴とする画像読取装置。
【請求項２】
請求項１において、
上記画像読取手段が読み取ったフィルムの画像情報に基づいて、上記フィルムの表裏を判別する表裏判別手段を有することを特徴とする画像読取装置。
【請求項３】
請求項２において、
フィルムの表から読み取った場合における画像切り出し用の閾値と、フィルムの裏から読み取った場合における画像切り出し用の閾値とを具備し、フィルムの表裏が逆であることを、上記表裏判別手段が検出すると、上記読取手段から読み込まれたプレビュー画像をサムネイル表示する際に、フィルムの裏から読み取った場合における画像切り出し用の閾値を使用して、画像を切り出す画像切り出し手段を有し、上記フィルムの画像情報を表裏反転することによって、上記画像情報を修正することを特徴とする画像読取装置。
【請求項４】
請求項１において、
上記画像読取手段が読み取ったプレビュー画像のフィルムの画像情報に基づいて、上記フィルムの表裏を判別する表裏判別手段と；
フィルムの表から読み取った場合におけるスキャン用の設定と、フィルムの裏から読み取った場合におけるスキャン用の設定とを具備し、フィルムの表裏が逆であることを、上記表裏判別手段が検出すると、上記読取手段から読み込まれたプレビュー画像をサムネイル表示する際に、フィルムの裏から読み取った場合におけるスキャン用の設定を使用して、画像を読み込む画像読み込み制御手段と；
を具備することを特徴とする画像読取装置。
【請求項５】
複数の撮影コマによって構成されているフィルムから、画像情報を読み取る画像読取工程と；
上記画像読取工程が読み取った画像情報を、記録装置に記録させる記録装置制御工程と；
ユーザの指示によってフィルムを読み取る際に、上記画像読取工程と上記記録装置制御工程とにおいて、読み取る画像の画像情報を得るためにプレビューし、上記プレビュー読み取りで得られたプレビュー画像に基づいて、サムネイルを表示するサムネイル表示工程と；
上記プレビュー読み取りで得られたプレビュー画像に基づいて、上記プレビュー画像に最適な処理を行い、最適な読み取りモードで画像を読み取るように制御する制御工程と；
を具備することを特徴とする画像読取装置の制御方法。
【請求項６】
請求項５において、
上記画像読取工程で読み取ったフィルムの画像情報に基づいて、上記フィルムの表裏を判別する表裏判別工程を有することを特徴とする画像読取装置の制御方法。
【請求項７】
請求項６において、
フィルムの表から読み取った場合における画像切り出し用の閾値と、フィルムの裏から読み取った場合における画像切り出し用の閾値とを具備し、フィルムの表裏が逆であることを、上記表裏判別工程が検出すると、上記読取工程から読み込まれたプレビュー画像をサムネイル表示する際に、フィルムの裏から読み取った場合における画像切り出し用の閾値を使用して、画像を切り出す画像切り出し工程を有し、上記フィルムの画像情報を表裏反転することによって、上記画像情報を修正することを特徴とする画像読取装置の制御方法。
【請求項８】
請求項５において、
上記画像読取工程が読み取ったプレビュー画像のフィルムの画像情報に基づいて、上記フィルムの表裏を判別する表裏判別工程と；
フィルムの表から読み取った場合におけるスキャン用の設定と、フィルムの裏から読み取った場合におけるスキャン用の設定とを具備し、フィルムの表裏が逆であることを、上記表裏判別工程で検出すると、上記読取工程から読み込まれたプレビュー画像をサムネイル表示する際に、フィルムの裏から読み取った場合におけるスキャン用の設定を使用して、画像を読み込む画像読み込み制御工程と；
を具備することを特徴とする画像読取装置の制御方法。
【発明の詳細な説明】
【技術分野】
【０００１】
本発明は、フィルムから画像情報を読み取る画像読取装置および画像読取装置の制御方法に関する。
【背景技術】
【０００２】
従来から、フィルムに記録された画像をスキャンして読み取る画像読取装置が種々開発されている。この種の画像読取装置は、通常、パーソナルコンピュータに接続して使用することを前提とし、フィルムの読み取りや読取画像の記録等の処理を実行する場合、コンピュータの画面上から、ユーザが逐次指示することによって、フィルムの読み取りや読取画像の記録等の処理を実行する。
【０００３】
つまり、画像読取装置で画像読み取りする場合、ユーザが、画像読取装置にフィルムを挿入し、コンピュータ画面上から指示し、スキャン動作を開始させる。この場合、フィルムを表裏逆に挿入すると、画像読取装置が読み取った画像も、そのまま表裏逆の画像になる。
【０００４】
読取画像が表裏逆になることを防止するために、ユーザは、フィルム画像の表裏を、目視によって常に確認しながら、読み取り作業を行わなければならず、画像読取装置にフィルムを挿入する作業が煩雑であり、もし、フィルムの表裏が逆の状態でスキャンすると、フィルムを正しく挿入し直し、再度スキャンしなければならず、画像読取装置で画像読み取りする作業が煩雑である。
【０００５】
フィルムの表裏が逆の状態でスキャンした場合に、フィルムの挿入し直し、再度スキャンを防ぐために、従来、写真フィルムの側端部に設けられているＤＸコードやコマ番号を、画像データとともにフィルムスキャナで取り込み、この取り込んだＤＸコードやコマ番号に基づいて、写真フィルムの正規の方向に対する向きを判定し、必要な場合には、画像処理部で画像データを、自動ミラー反転等によって、正規の方向に修正し、印画紙に焼き付ける方法が提案されている（たとえば、特許文献１、２参照）。
【特許文献１】特開平９−３１９０１１号公報
【特許文献２】特開２０００−２０９４０４公報
【発明の開示】
【発明が解決しようとする課題】
【０００６】
しかし、上記従来例において、ＤＸコードやコマ番号を使ってフィルムの表裏を判別し、読み取った画像の方向を変えた場合、フィルムが表裏逆に挿入され、読み取られた場合にサムネイル表示すると、フィルムの表面と裏面とでフィルムの粒状特性が異なるので、正しく画像を切り出すことができず、画像が切れることがあるという問題がある。
【０００７】
また、上記従来例では、裏面の画像の読み取りを行うときに、表面の画像を読み込んだ場合に比べてピントが合っていないようなボケた画像になることがあるという問題があり、また、正しい色味の画像が得られないという問題がある。
【０００８】
本発明は、フィルムが表裏逆に挿入され読み取られ、サムネイル表示する場合、適正な色調で画像を読み取ることができ、また、フィルムの画像読み取り処理の操作性が優れている画像読取装置および画像読取装置の制御方法を提供することを目的とする。
【課題を解決するための手段】
【０００９】
本発明は、複数の撮影コマによって構成されているフィルムから、画像情報を読み取る画像読取手段と、上記画像読取手段が読み取った画像情報を、記録装置に記録させる記録装置制御手段と、ユーザの指示によってフィルムを読み取る際に、上記画像読取手段と上記記録装置制御手段とを動作させ、読み取る画像の画像情報を得るためにプレビューし、上記プレビュー読み取りで得られたプレビュー画像に基づいて、サムネイルを表示するサムネイル表示手段と、上記プレビュー読み取りで得られたプレビュー画像に基づいて、上記プレビュー画像に最適な処理を行い、最適な読み取りモードで画像を読み取るように制御する制御手段とを具備する画像読取装置である。
【００１０】
また、本発明は、複数の撮影コマによって構成されているフィルムから、画像情報を読み取る画像読取工程と、上記画像読取工程が読み取った画像情報を、記録装置に記録させる記録装置制御工程と、ユーザの指示によってフィルムを読み取る際に、上記画像読取工程と上記記録装置制御工程とにおいて、読み取る画像の画像情報を得るためにプレビューし、上記プレビュー読み取りで得られたプレビュー画像に基づいて、サムネイルを表示するサムネイル表示工程と、上記プレビュー読み取りで得られたプレビュー画像に基づいて、上記プレビュー画像に最適な処理を行い、最適な読み取りモードで画像を読み取るように制御する制御工程とを具備することを特徴とする画像読取装置の制御方法である。
【発明の効果】
【００１１】
本発明によれば、フィルムが表裏逆に挿入され読み取られ、サムネイル表示する場合、適正な色調で画像を読み取ることができ、また、フィルムの画像読み取り処理の操作性が優れ、フィルム画像を電子化して保存するまでに要する時間を大幅に短縮することができるという効果を奏する。
【発明を実施するための最良の形態】
【００１２】
発明を実施するための最良の形態は、次の実施例である。
【実施例１】
【００１３】
図１は、本発明の実施例１である画像読取装置１００のハードウェア構成を示す概略断面図である。
【００１４】
画像読取装置１００は、スキャナ本体１と、透過原稿ユニット２とを有する。
【００１５】
スキャナ本体１は、不図示のインタフェースケーブルによって、図２に示すホストコンピュータ５０に接続され、移動光学ユニット４と、原稿台ガラス５と、電気基板６と、パルスモータ７と、無端ベルト８と、プーリ９、１０と、ギア列１１と、ガイドレール１２と、白色基準板１３とを有する。
【００１６】
白色基準板１３の中には、黒マーク３６が設けられ、スキャナ本体１は、この黒マーク３６を基準にして、読み取りエリアを決め、画像を読み取る。光学ユニット４とパルスモータ７とは、不図示のケーブルによって、互いに電気的に接続されている。また、光学ユニット４は、ガイドレール１２に沿って、載置手段１４によって、摺動可能に載置されている。載置手段１４は、無端ベルト８に固着されている。
【００１７】
移動光学ユニット４は、反射原稿用光源１５と、複数の反射ミラー１６、１７、１８と、結像レンズ１９と、撮像手段であるラインセンサ２０とによって構成されている。
【００１８】
次に、スキャナ本体１の反射原稿画像読み取り動作について、説明する。
【００１９】
ホストコンピュータ５０からの読み取り命令コマンドによって、スキャナ本体１における読み取り動作が開始される。スキャナ本体１は、光学ユニット４の反射原稿用光源１５を点灯させ、その反射光を、複数のミラー１６、１７、１８が反射し、結像レンズ１９を介して、センサ２０に結像することによって、主走査方向１ライン分の画像を読み取る。また、パルスモータ７の動力を、ギア列１１を介して、プーリ９を回転させることによって、無端ベルト８を駆動する。載置手段１４によって固着される光学ユニット４は、無端ベルト８によって、矢印Ｘの副走査方向に、ガイドレール上を移動する。
【００２０】
スキャナ本体１は、光学ユニット４を副走査方向に移動しつつ、上記主走査方向のライン画像の読み取りを繰り返す。スキャナ本体１は、光学ユニット４を、図１に点線で示す位置まで、読み取り動作をしながら、移動させることによって、原稿台ガラス全面のスキャンが可能になる。ただし、ホストコンピュータ５０からの読み取りコマンドの内容に応じて、原稿台ガラス上の原稿３の部分画像を読むことが可能である。
【００２１】
この場合、主走査方向には、センサ出力のうち採用する画素範囲を規定することによって、また、副走査方向には、光学ユニットの移動範囲を電気基板上の後述の制御手段で規定することによって、ホストコンピュータ５０が指定する読み取り画像範囲を決める。
【００２２】
次に、スキャナ本体１の透過画像読み取り動作について、説明する。
【００２３】
スキャナ本体１は、光学ユニット４の反射原稿用光源１５を消灯し、透過原稿用光源３５を点灯させ、光学ユニット４を透過原稿読み取り用の位置に移動させ、透過原稿用光源３５の反射光を、複数のミラー１６、１７、１８によって反射させ、結像レンズ１９を介して、センサ２０に結像することによって、主走査方向１ライン分の画像を読み取る。
【００２４】
また、パルスモータ７の動力をギア列１１に伝え、プーリ９を回転させることによって、無端ベルト８を駆動する。この無端ベルト８の移動に伴って、載置手段１４に固着されている光学ユニット４は、矢印Ｘで示す副走査方向にガイドレール上を移動する。
【００２５】
スキャナ本体１は、光学ユニット４を副走査方向に移動しつつ、主走査方向のライン画像の読み取りを繰り返す。スキャナ本体１は、図１の光学ユニット４を、点線で示す位置まで移動させながら、読み取り動作をし、原稿台ガラス全面をスキャンすることができる。ただし、ホストコンピュータ５０からの読み取りコマンドの内容に応じて、原稿台ガラス上の原稿３の部分画像を読むことも可能である。この場合、ホストコンピュータ５０が指定する読み取り画像範囲に対して、主走査方向には、センサ出力のうち採用する画素範囲を決め、また副走査方向には、光学ユニット４の移動範囲を決め、電気基板上の後述の制御手段が上記範囲を制御する。
【００２６】
また、副走査方向に光学ユニット４を移動させる場合、何種類かの速度が、予め決められ、ホストコンピュータ５０が指定する画像読み取りの設定によって、システムコントローラ２６が適正な速度を選択し、画像を読み取る。
【００２７】
次に、各機能ブロックについて説明する。
【００２８】
図２は、画像読取装置１００におけるスキャナ本体１の詳細を示すブロック図であり、ホストコンピュータ５０とモニタ６０とを示すブロック図である。
【００２９】
光学ユニット４において、光源点灯回路２４は、反射原稿用光源１５と透過原稿用光源３５とを点灯し、光源の光量検知を行う検知手段が含まれている。また、読み取る原稿３に応じて、反射原稿用光源１５と透過原稿用光源３５とを切り替える。反射原稿用光源１５と透過原稿用光源３５とに冷陰極管を用いると、いわゆるインバータ回路になる。
【００３０】
電気基板６において、パルスモータ７用のモータ駆動回路２５は、スキャナ本体１のシステム制御手段であるシステムコントローラ２６からの信号によって、パルスモータ７の励磁切替え信号を出力する。アナログゲイン調整器２７Ｒ、２７Ｇ、２７Ｂは、ラインセンサ２０から出力されたアナログ画像信号を可変増幅する。
【００３１】
Ａ／Ｄ変換器２８は、可変アナログゲイン調整器２７が出力したアナログ画像信号をデジタル画像信号に変換する。画像処理手段２９は、デジタル信号化された画像信号について、オフセット補正、シェーディング補正、デジタルゲイン調整、カラーバランス調整、マスキング、主・副走査方向の解像度変換を行い、画像圧縮等の画像処理を行う。ラインバッファ３０は、画像データを一時的に記憶し、汎用のランダムアクセスメモリである。
【００３２】
インタフェース部３１は、ホストコンピュータ５０と通信し、実施例１では、ＵＳＢインタフェースで実現しているが、ＩＥＥＥ１３９４等、別のインタフェースを採用するようにしてもよい。
【００３３】
オフセットＲＡＭ３２は、画像処理を行う際のワーキングエリアとして用いられる。このオフセットＲＡＭ３２は、ラインセンサ２０のＲＧＢ用ラインセンサが、それぞれ所定のオフセットを持って平行に配置されているので、ＲＧＢライン間オフセットの補正用として用いられている。また、オフセットＲＡＭ３２は、シェーディング補正等の各種データを一時記憶し、実施例１では、汎用のランダムアクセスメモリで実現している。
【００３４】
ガンマＲＡＭ３３は、ガンマカーブを記憶し、ガンマ補正を行うためのＲＡＭである。システムコントローラ２６は、スキャナ全体のシーケンスを記憶し、ホストコンピュータ５０からの命令に従って、各種制御を行う。
【００３５】
システムバス３４は、システムコントローラ２６と、画像処理手段２９と、ラインバッファ３０と、インタフェース部３１と、オフセットＲＡＭ３２と、ガンマＲＡＭ３３とを接続し、アドレスバスとデータバスとによって構成されている。
【００３６】
次に、ホストコンピュータ５０によって画像読取装置１００をコントロールするドライバソフトの操作部の一例について説明する。
【００３７】
図３は、実施例１におけるサムネイル表示４６を示す図である。
【００３８】
選択メニュー４２は、画像読取装置１００における画像読取方法の選択メニューを示す。ユーザは、選択メニュー４２を使用して、画像読取装置１００の読取方法を切り替えることができる。選択メニュー４２は、原稿３の種類を選択する選択メニューであり、これを使用して、ユーザは、ホストコンピュータ５０に読み込む画像を選択する。
【００３９】
ボタン４４は、ホストコンピュータ５０に読み込む画像を、サムネイル表示４６に表示するためのボタンである。画像をホストコンピュータ５０に読み込む前に、ボタン４４を押下することによって、プレビュー画像を読み込み、画像処理を施すために読み込まれる。ボタン４５は、ホストコンピュータ５０に画像を読み込むためのボタンである。このボタン４５を押すことによって、ホストコンピュータ５０に、画像の読み込みを始めさせることができる。
【００４０】
サムネイル表示４６は、プレビュー画像から、画像領域を自動的に切り出したフィルムのサムネイル表示である。
【００４１】
なお、図３の最下段には、左から、カラーモード、解像度（ｄｐｉ）、出力サイズの幅（ｍｍ）、出力サイズの長さ（ｍｍ）、読み取ったときにおける画像サイズ（ＭＢ）が表示されている。
【００４２】
［フィルムの表裏判別］
次に、フィルムの表裏判別処理の原理例について説明する。
【００４３】
図４は、実施例１の動作を説明する図である。
【００４４】
図４に示すように、ラインセンサ２０によって読み取ったフィルムの画像情報は、そのフィルムの撮影に使用したカメラへのフィルム挿入方向と、スキャナ装置１に対するフィルムのセットの仕方とによって、図４（１）〜図４（４）に示す４通りになる。
【００４５】
図４（１）、図４（２）に示す状態は、撮影に使用されたカメラのフィルムフォルダが、そのカメラの裏面側から見て右側にあり、フィルムが右側から左側に送られながら、フィルムコマの撮影が行われた場合に相当する。
【００４６】
逆に、図４（３）、図４（４）に示す状態は、撮影に使用されたカメラのフィルムフォルダが、そのカメラの裏面側から見て左側にあり、フィルムが左側から右側に送られながら、フィルムコマの撮影が行われた場合に相当する。
【００４７】
図４（１）に示すように、フィルムフォルダが右側にあるカメラで撮影されたフィルムが、表裏正しくスキャナ装置１にセットされている場合、文字と数字とからなるコマ番号「１Ａ」は、「Ａ」の文字が、数字「１」の右側にあり、かつ「Ａ」の文字パターンは、上下反転しない状態になる。また、図４（３）に示すように、フィルムフォルダが左側にあるカメラで撮影されたフィルムが、表裏正しくスキャナ装置１にセットされた場合、コマ番号の状態は、「Ａ」の文字が、数字の左側にあり、かつ「Ａ」の文字パターンは、上下反転される。
【００４８】
一方、フィルムが表裏逆の状態でスキャナ装置１にセットされた場合、フィルムフォルダが右側にあるカメラで撮影されたフィルムであれば、図４（２）に示すように、「Ａ」の文字は、数字の左側にあり、かつ「Ａ」の文字パターンは、上下反転しないが、フィルムフォルダが左側にあるカメラで撮影されたフィルムであれば、図４（４）に示すように、「Ａ」の文字は、数字の右側にあり、かつ「Ａ」の文字パターンは、上下反転する。
【００４９】
上記のように、フィルムが表裏正しくスキャナ装置１にセットされた場合のコマ番号の状態は、次の状態１か状態２である。
【００５０】
状態１：「Ａ」の文字が数字の右側にあり、その「Ａ」の文字パターンが上下反転していない状態
状態２：「Ａ」の文字が数字の左側にあり、その「Ａ」の文字パターンが上下反転している状態。
【００５１】
したがって、実施例１では、ラインセンサ２０によって、フィルムから撮影画像のみならず、その付帯情報であるコマ番号情報を一緒に読み取り、そのコマ番号情報が、上記状態１または状態２の条件を満たすか否かによって、表裏を判別する。
【００５２】
これらコマ番号情報は、通常のネガまたはポジフィルム上に、現像前から予め書き込まれ、現像処理によって可視化される。
【００５３】
［フィルムスキャンおよびサムネイル表示処理］
次に、実施例１におけるフィルム読み取り処理の動作を説明する。
【００５４】
図５は、実施例１において、フィルムを読み取り処理する動作を示すフローチャートである。
【００５５】
Ｓ１では、ホストコンピュータ５０に設けられているプレビューボタン４４であって、画像読取装置１００をコントロールするドライバソフトの操作部に設けられているプレビューボタン４４を、ユーザが操作することによって、プレビュー動作がスタートする。
【００５６】
Ｓ２では、ホストコンピュータ５０は、読み取った画像を解析し、コマ番号情報（コマＮｏ．）を取得する。
【００５７】
Ｓ３では、読み取られた画像情報から、まず、「Ａ」の文字が数字の右側にあるのか、左側にあるのかを調べる。
【００５８】
「Ａ」の文字が数字の右側にあれば（図４（１）または図４（４）に示す場合）、Ｓ８では、読み取った「Ａ」の文字パターンを解析し、その上下反転の有無を調べる。
【００５９】
「Ａ」の文字パターンが上下反転していれば（図４（４）に示す場合）、Ｓ９では、フィルムの表裏が逆であるので、フィルム裏面用の処理を施す。
【００６０】
「Ａ」の文字パターンが上下反転してなければ（図４（１）に示す場合）、Ｓ５では、フィルムが表裏正しく設定されているので、フィルム表面用の処理を施す。
【００６１】
「Ａ」の文字が数字の左側にあれば（図４（２）または図４（３）に示す場合）、Ｓ４では、読み取った「Ａ」の文字パターンの上下反転の有無を調べ、上下反転していなければ（図４（２）に示す場合）、Ｓ９では、フィルム裏面用の処理を施す。
【００６２】
「Ａ」の文字パターンが上下反転していれば（図４（３）に示す場合）、フィルムが表裏正しく設定されているので、Ｓ５では、フィルム表面用の処理を施す。
【００６３】
これらのフィルム表面用の処理と、フィルム裏面用の処理との詳細手順については、図６、図７に示す。
【００６４】
そして、Ｓ６では、読み取られた画像を、ホストコンピュータ５０上にサムネイル表示し、Ｓ７では、本スキャンを行い、ホストコンピュータ５０にフィルムの読み取り画像を転送し、処理を終了する。
【００６５】
次に、実施例１におけるフィルムの表面の処理と裏面の処理とについて説明する。
【００６６】
図６は、実施例１におけるフィルム表面の処理動作を示すフローチャートである。
【００６７】
読み込まれたフィルムが表面であると判定されると、Ｓ１０では、フィルムの表面の特性に最適なシャープネス処理を施す。
【００６８】
Ｓ１１では、サムネイル表示を行うために読み込まれた画像領域を切り出し、この際に、フィルムが表面の特性に最適な切り出し用のパラメータを設定し、画像領域を切り出しする。
【００６９】
Ｓ１２では、本スキャンを行う場合におけるスキャンの設定に関しても、フィルムが表面の特性に最適な設定値を設定する。
【００７０】
図７は、実施例１において、フィルムが裏面でセットされた場合における処理を示すフローチャートである。
【００７１】
読み込まれたフィルムが裏面であると判定されると、Ｓ１３では、画像に鏡像処理を施す。Ｓ１４では、フィルムの裏面の特性に最適なシャープネス処理を施す。Ｓ１５では、サムネイル表示を行うために読み込まれた画像領域の切り出しを行い、この際に、フィルムが裏面の特性に最適な切り出し用のパラメータを設定し、画像領域を切り出す。
【００７２】
Ｓ１６では、本スキャンを行う場合におけるスキャンの設定に関しても、フィルムの裏面の特性に最適な設定値を設定する（Ｓ１６）。
【００７３】
フィルムの裏面の特性は、表面の特性に対して、粒子のザラツキがあるので、読み取った画像の焦点が表面に対してずれる傾向にある。したがって、表面に比べて、シャープネスを強めに施す必要がある。また、粒子のザラツキがあると、サムネイル表示するために画像切り出す処理は、本来画像である部分が切り取られることがあり、表面に比べると、同じ結果にならないので、裏面を読み込む場合、上記フィルムの特性の違いによって、画像を自動で切り出す処理により画像の切り出しを行った結果が、本来画像である部分が切り取られることがあり、表面を読み込む場合における画像の切り出しと結果が同じにならないので、裏面用に画像を切り出すためのパラメータを、フィルムの特性に合わせて最適化する必要がある。
【００７４】
また、本スキャンの際にも、鏡像処理を施し、色調が、表面を読み取った際と異なるので、裏面を読み込む場合に最適な色調のパラメータを設定し、読み込む必要がある。
【００７５】
上記のように、実施例１によれば、フィルムを装填するだけで、フィルムの読み取り開始からホストコンピュータ５０への画像転送までの処理が、全て自動的に実行されるので、フィルム画像を電子化して保存するまでに要する時間を大幅に短縮することができる。
【００７６】
また、上記実施例によれば、フィルムの表裏反転を検出し、その修正を自動的に行うので、フィルムを正しく装填し直して再スキャンする作業を行わずに、画像情報を正しく記録することができる。これによって、ユーザは、フィルムの表裏を意識する必要がなく、操作性が向上する。
【００７７】
実施例１では、スプリットフィルムを、そのまま画像読取装置１００に装填するが、ホルダを用いるようにしてもよい。ただし、この場合、フィルムからコマ番号情報を読み取ることができるようにするために、コマ番号情報に対応するフィルム位置が露出される形状のホルダを用いることが好ましい。
【００７８】
実施例１において、フィルムを誤って表裏逆に装填した場合、フィルムを正しく装填し直して再スキャンする作業を行わずに、画像情報を正しく記録することができ、画像記録の高速化を実現できる。
【００７９】
画像読取手段によってフィルムから撮影画像の画像情報と共に読み取られたフィルムのＤＸコードまたはコマ番号情報に基づいて、フィルムを表裏判別することができる。
【００８０】
画像読取手段が読み取ったフィルムの画像情報に基づいて、フィルムの表裏を判別する表裏判別手段と、この表裏判別手段によってフィルムの表裏が逆であることが検出された場合、読取手段から読み込まれたプレビュー画像のサムネイル表示を行う際に、表裏でそのフィルムの特性に合わせた２種類の画像切り出し用の閾値をもち、このうちの裏の閾値をつかって画像の切り出しを行う修正手段と、さらに上記フィルムの画像情報を表裏反転して上記画像情報を修正する修正手段とをさらに具備することが好ましい。
【００８１】
また、上記画像読取手段が読み取ったプレビュー画像のフィルムの画像情報からそのフィルムの表裏を判別する表裏判別手段と、この表裏判別手段によってフィルムの表裏が逆であることが検出された場合、上記読取手段から読み込まれたプレビュー画像のサムネイル表示を行う際に表裏でそのフィルムの特性に合わせた２種類のスキャン用の設定をもち、このうちの裏のフィルムを読み込むためのスキャン設定を使って画像の読み込みを行うように制御する制御手段を具備することが好ましい。
【００８２】
これによって、フィルムの表面と裏面でフィルムの粒状特性が異なることから、フィルムの裏面のサムネイル表示時には、正しく画像が切り出せず画像が切れてしまうという問題や、さらには裏面の画像の読み取りを行うときには、表面の画像を読み込んだときに比べてピントが合っていないようなボケた画像になることや、正しい色味の画像が得られないという問題が解決される。
【図面の簡単な説明】
【００８３】
【図１】本発明の実施例１である画像読取装置１００のハードウェア構成を示す概略断面図である。
【図２】画像読取装置１００におけるスキャナ本体１の詳細を示すブロック図であり、ホストコンピュータ５０とモニタ６０とを示すブロック図である。
【図３】実施例１において、サムネイル表示４６を示す図である。
【図４】実施例１の動作を説明する図である。
【図５】実施例１において、フィルムを読み取り処理する動作を示すフローチャートである。
【図６】実施例１におけるフィルム表面の処理動作を示すフローチャートである。
【図７】実施例１において、フィルムが裏面でセットされた場合における処理を示すフローチャートである。
【符号の説明】
【００８４】
１００…画像読取装置、
１…スキャナ本体、
２…透過原稿ユニット、
３…原稿、
４…光学ユニット、
６…電気基板、
４６…サムネイル表示、
５０…ホストコンピュータ。
【図１】
2006311081.tif 000003
【図２】
2006311081.tif 000004
【図３】
2006311081.tif 000005
【図４】
2006311081.tif 000006
【図５】
2006311081.tif 000007
【図６】
2006311081.tif 000008
【図７】
2006311081.tif 000009